(57)【要約】【課題】金属で形成しても傷の発生を抑制して見映えが悪くならない陳列用容器を提供する。【解決手段】陳列用容器１０は、底壁部２１と、前壁部２２と、後壁部２３と、左壁部２４及び右壁部２５の５つの壁部を備えて、上方が開放された金属製の容器本体２０と、第１上げ底形成部４１と第１上げ底形成部４１に連結された第２上げ底形成部４２とを備えて、容器本体２０内に収納される金属製の上げ底形成部材４０と、を備える。上げ底形成部材４０は、回動されることにより、第１上げ底形成部４１が後壁部２３の内側に重ねられるとともに、第２上げ底形成部４２が後壁部２３の上端部側から延びる第１の状態と、第２上げ底形成部４２が底壁部２１上に立設されるとともに、第１上げ底形成部４１に商品が載置可能な第２の状態と、に変化可能に構成されている。【選択図】図５
2020199143.tif 000002
【特許請求の範囲】
【請求項１】
底壁部と、前記底壁部に連続して前記底壁部の前端部から立ち上がる前壁部と、前記底壁部に連続して前記底壁部の後端部から立ち上がる後壁部と、前記底壁部と前記前壁部と前記後壁部とにそれぞれ連続して前記底壁部の左右の端部からそれぞれ立ち上がる左壁部及び右壁部の５つの壁部を備えて、上方が開放された金属製の容器本体と、
第１上げ底形成部と前記第１上げ底形成部に連結された第２上げ底形成部とを備えて、前記容器本体内に収納される金属製の上げ底形成部材と、
を備え、
前記上げ底形成部材は、移動、又は／及び、回動されることにより、
前記第１上げ底形成部が前記左壁部、前記右壁部、前記後壁部のうちの一の壁部の内側に重ねられるとともに、前記第２上げ底形成部が前記一の壁部の上端部側から延びる第１の状態と、
前記第２上げ底形成部が前記底壁部上に立設されるとともに、前記第１上げ底形成部に商品が載置可能な第２の状態と、
に変化可能に構成されていることを特徴とする陳列用容器。
【請求項２】
前記第１上げ底形成部の前記第２上げ底形成部に連結された側とは反対側の端部が、前記一の壁部に対して回動可能とされ、
前記上げ底形成部材を回動させることにより、前記上げ底形成部材が、前記第１の状態と、前記第２の状態に変化することを特徴とする請求項１記載の陳列用容器。
【請求項３】
前記第１の状態において、前記第１上げ底形成部と前記一の壁部とが重ねられた状態を保持する保持手段を備えることを特徴とする請求項１または２に記載の陳列用容器。
【発明の詳細な説明】
【技術分野】
【０００１】
本発明は、商品を陳列するための陳列用容器に関するものである。
【背景技術】
【０００２】
従来の陳列用容器として、本出願人が先にした特許文献１に記載されるものがあった。これによれば、上方が開放された合成樹脂製の容器本体と、第１の板状部（第１上げ底形成部）と第１の板状部に連結された第２の板状部（第２上げ底形成部）とを備えて容器本体内に収納される合成樹脂製の上げ底形成部材とを備えていた。
【０００３】
そして、上げ底形成部材は、移動及び／又は回動されることにより、第１の板状部が容器本体の底壁部の内側に重ねられるとともに、第２の板状部が前壁部の内側に重ねられた第１の状態と、第１の板状部が底壁部上に立設されるとともに、第２の板状部の第１の板状部が連結された側とは反対側の端部が後壁部に当接された第２の状態と、に変化可能に構成されていた。
【０００４】
これにより、簡便に内部に上げ底部分を形成可能で、見た目が良い陳列用容器を提供することが可能であった。
【先行技術文献】
【特許文献】
【０００５】
【特許文献１】実用新案登録第３１５７４２４号公報
【発明の概要】
【発明が解決しようとする課題】
【０００６】
しかし、上記の陳列用容器は、合成樹脂で形成されている場合に好適なものであるが、容器本体と上げ底形成部材を、金属製で縦枠と横枠を有した格子状に形成すると、第１の状態で商品が乗せられると、傷が生じて見映えが悪くなるおそれがあった。
【０００７】
本発明は、上記事情に鑑み、金属で形成しても傷の発生を抑制して見映えが悪くならない陳列用容器を提供するものである。
【課題を解決するための手段】
【０００８】
請求項１記載の発明では、底壁部と、前記底壁部に連続して前記底壁部の前端部から立ち上がる前壁部と、前記底壁部に連続して前記底壁部の後端部から立ち上がる後壁部と、前記底壁部と前記前壁部と前記後壁部とにそれぞれ連続して前記底壁部の左右の端部からそれぞれ立ち上がる左壁部及び右壁部の５つの壁部を備えて、上方が開放された金属製の容器本体と、
第１上げ底形成部と前記第１上げ底形成部に連結された第２上げ底形成部とを備えて、前記容器本体内に収納される金属製の上げ底形成部材と、
を備え、
前記上げ底形成部材は、移動、又は／及び、回動されることにより、
前記第１上げ底形成部が前記左壁部、前記右壁部、前記後壁部のうちの一の壁部の内側に重ねられるとともに、前記第２上げ底形成部が前記一の壁部の上端部側から延びる第１の状態と、
前記第２上げ底形成部が前記底壁部上に立設されるとともに、前記第１上げ底形成部に商品が載置可能な第２の状態と、
に変化可能に構成されている。
【０００９】
これによれば、第１の状態においては、容器本体の収納領域から上げ底形成部材が退避して、上げ底形成部材に商品が乗せられることがなくなるので、金属で形成しても傷の発生を抑制して見映えが悪くならない陳列用容器を提供することができる。
【００１０】
また、前記第１上げ底形成部の前記第２上げ底形成部に連結された側とは反対側の端部が、前記一の壁部に対して回動可能とされ、前記上げ底形成部材を回動させることにより、前記上げ底形成部材が、前記第１の状態と、前記第２の状態に変化する。
【００１１】
これによれば、回動動作により、容易に上げ底形成部材を第１の状態と、第２の状態とに変化させることができるので、陳列作業の効率を向上させることが可能となる。
【００１２】
また、前記第１の状態において、前記第１上げ底形成部と前記一の壁部とが重ねられた状態を保持する保持手段を備える。
【００１３】
これによれば、保持手段により、上げ底形成部材が動くことによって生じる、手に当たる、手を挟む等の危険を防止することができる。
【図面の簡単な説明】
【００１４】
【図１】本発明における第一の実施形態の陳列用容器の使用状態を示す右斜め上からみた斜視図である。
【図２】同実施形態の陳列用容器の使用状態における（ａ）は正面図、（ｂ）は右側面図、（ｃ）は平面図である。
【図３】上げ底形成部材の右斜め上からみた斜視図である。
【図４】同実施形態における上げ底形成部材が第２の状態にあるときの左斜め上からみた斜視図である。
【図５】同実施形態における上げ底形成部材が第１の状態にあるときの左斜め上からみた斜視図である。
【図６】本発明の第二の実施形態における上げ底形成部材の左斜め上からみた斜視図である。
【図７】同実施形態における上げ底形成部材が第１の状態にあるときの左斜め上からみた斜視図である。
【図８】同実施形態における上げ底形成部材が第１の状態にあるときのＶＩＩI−ＶＩＩＩ線矢視断面図である。
【図９】同実施形態における上げ底形成部材が第２の状態にあるときの左斜め上からみた斜視図である。
【図１０】本発明の第三の実施形態における上げ底形成部材の左斜め上からみた斜視図である。
【図１１】同実施形態における上げ底形成部材が第２の状態にあるときの左斜め上からみた斜視図である。
【発明を実施するための形態】
【００１５】
本発明における陳列用容器の第一の実施形態を図面に基づいて説明する。以下の説明では、各図面に付される矢印の、Ｆを前、Ｂを後ろ、Ｒを右、Ｌを左、Ｕを上、Ｄを下、方向とする。
【００１６】
本実施形態では、被収納物として商品が収納される陳列用容器１０として適用する場合について説明する。
【００１７】
陳列用容器１０は、図１〜５に示すように、容器本体２０と、上げ底形成部材４０と、を備えている。
【００１８】
容器本体２０は、図１、２、４、５に示すように、金属製で縦枠と横枠を有した格子状に形成され、底壁部２１と、底壁部２１に連続して底壁部２１の前端部から立ち上がる前壁部２２と、底壁部２１に連続して底壁部２１の後端部から立ち上がる後壁部２３と、底壁部２１と前壁部２２と後壁部２３とにそれぞれ連続して底壁部２１の左右の端部からそれぞれ立ち上がる左壁部２４、及び右壁部２５の５つの壁部を備えて、上方が開放された箱状に形成されている。
【００１９】
底壁部２１と、前壁部２２と、後壁部２３と、左壁部２４と、右壁部２５と、は縦枠と横枠を有して格子状に形成され、表面に粉体塗装が施されている。
【００２０】
本実施形態では、底壁部２１と、前壁部２２と、後壁部２３と、を構成する本体部材２６と、左壁部２４と、右壁部２５を構成するサイド部材２７と、既存の手法で組み合わせて構成されている。
【００２１】
上げ底形成部材４０は、図１〜５に示すように、金属製で前後方向に沿った内枠を有した形状に形成され、第１上げ底形成部４１と第１上げ底形成部４１に連結された第２上げ底形成部４２とを備えている。第１上げ底形成部４１と第２上げ底形成部４２とは、略直交するように構成され、表面に粉体塗装が施されている。
【００２２】
第１上げ底形成部４１の第２上げ底形成部４２に連結された側とは反対側の端部４１ａには、後壁部２３に対して回動可能とする掛止部４３が、左右方向に沿って二か所配設されている。掛止部４３は、略Ｊ字状に形成され、後壁部２３の横枠２３ｂにそれぞれ引っ掛け可能とされている。掛止部４３が、後壁部２３の横枠２３ｂに引っ掛けられることで、上げ底形成部材４０が、後壁部２３に対して左右方向を軸として回動可能となる。
【００２３】
第２上げ底形成部４２の右側の端部、かつ、第１上げ底形成部４１と連結された側とは反対側の端部４２ａには、円柱状の係止バー４４が右側に向かって突設されている。
【００２４】
本実施形態では、係止バー４４は、左右方向における長さが後壁部２３の縦枠２３ａの間隔より短く形成され、掛止部４３が後壁部２３の縦枠２３ａに引っ掛けられた状態において、後壁部２３の縦枠２３ａの間の右側の位置にあるときに、左壁部２４の縦枠２４ａに係止可能とされている。
【００２５】
そして、後述する第１の状態において、係止バー４４を、左壁部２４の縦枠２４ａに係止することで、上げ底形成部材４０の前側への回転が規制され、第１上げ底形成部４１と後壁部２３とが重ねられた状態が保持される。本実施形態では、係止バー４４と、左壁部２４の縦枠２４ａとで、保持手段１１が構成される。
【００２６】
本実施形態における、陳列用容器１０の使用態様を説明する。図１、２に示すように、台車６０の上に、容器本体２０Ａが取り付けられ、容器本体２０Ａの上端部にさらに容器本体２０Ｂが取り付けられ、容器本体２０Ｂの上端部に陳列用容器１０が取り付けられる、三段組みの陳列ユニット１の一部を、陳列用容器１０は構成している。
【００２７】
また、図４、５では、見やすくするため、左壁部２４を省略している。
【００２８】
空の陳列用容器１０に商品を陳列するときには、掛止部４３を後壁部２３の横枠２３ｂに引っ掛け、第２上げ底形成部４２を手で持ち上げて、上げ底形成部材４０を上側に回転させて後壁部２３と重ね合わせる。
【００２９】
そして、上げ底形成部材４０を右側にスライドさせて、係止バー４４を、右壁部２５の縦枠２５ａに係止させて、上げ底形成部材４０の前側への回転を規制することで、第１上げ底形成部４１と後壁部２３とが重ねられた状態が保持され、図５に示す、第１上げ底形成部４１が後壁部２３の内側に重ねられるとともに、第２上げ底形成部４２が後壁部２３の上端部側から延びる第１の状態となる。
【００３０】
このとき、第２上げ底形成部４２は、陳列用容器１０の開放部分を構成する後壁部２３の上端部に略直交して配されるので、商品を出し入れするときの妨げにならない。また、上げ底形成部材４０が、第１の状態にあるときには、上げ底形成部材４０に商品が載置されないので、商品が載置されることによる傷は発生しない。
【００３１】
上げ底形成部材４０が第１の状態で、陳列用容器１０内に商品を陳列する。陳列した商品が少なくなったら、上げ底形成部材４０を左側にスライドさせ、係止バー４４と右壁部２５の縦枠２５ａの係止を解除し、上げ底形成部材４０の前側への回転の規制を解除して、上げ底形成部材４０を下側に回転させて、図４に示す、第２上げ底形成部４２が後壁部２３に当接して底壁部２１上に立設されるとともに、第１上げ底形成部４１に商品が載置可能な第２の状態とする。
【００３２】
上げ底形成部材４０を、第２の状態として、底壁部２１及び、上げ底形成部材４０の第１上げ底形成部４１に商品を載置して陳列する。
【００３３】
本実施形態の陳列用容器１０では、底壁部２１と、底壁部２１に連続して底壁部２１の前端部から立ち上がる前壁部２２と、底壁部２１に連続して底壁部２１の後端部から立ち上がる後壁部２３と、底壁部２１と前壁部２２と後壁部２３とにそれぞれ連続して底壁部２１の左右の端部からそれぞれ立ち上がる左壁部２４及び右壁部２５の５つの壁部を備えて、上方が開放された金属製の容器本体２０と、
第１上げ底形成部４１と第１上げ底形成部４１に連結された第２上げ底形成部４２とを備えて、容器本体２０内に収納される金属製の上げ底形成部材４０と、
を備え、
上げ底形成部材４０は、回動されることにより、
第１上げ底形成部４１が後壁部２３の内側に重ねられるとともに、第２上げ底形成部４２が後壁部２３の上端部側から延びる第１の状態と、
第２上げ底形成部４２が底壁部２１上に立設されるとともに、第１上げ底形成部４１に商品が載置可能な第２の状態と、
に変化可能に構成されている。
【００３４】
これによれば、第１の状態においては、容器本体２０の収納領域から上げ底形成部材４０が退避して、上げ底形成部材４０に商品が乗せられることがなくなるので、金属で形成しても傷の発生を抑制して見映えが悪くならない陳列用容器を提供することができる。
【００３５】
また、第１上げ底形成部４１の第２上げ底形成部４２に連結された側とは反対側の端部４１ａが、後壁部２３に対して回動可能とされ、上げ底形成部材４０を回動させることにより、上げ底形成部材４０が、第１の状態と、第２の状態に変化する。
【００３６】
これによれば、回動動作により、容易に上げ底形成部材４０を第１の状態と、第２の状態とに変化させることができるので、陳列作業の効率を向上させることが可能となる。
【００３７】
また、第１の状態において、第１上げ底形成部４１と後壁部２３とが重ねられた状態を保持する保持手段１１を備える。
【００３８】
これによれば、保持手段１１により、上げ底形成部材４０が動くことによって生じる、手に当たる、手を挟む等の危険を防止することができる。
【００３９】
本発明の第二の実施形態について説明する、陳列用容器１０と共通する構成については、同一符号を付してそれらの説明の全部又は一部を省略する。
【００４０】
陳列用容器１０Ａでは、上げ底形成部材４０とは異なる上げ底形成部材４０Ａが適用されている。
【００４１】
上げ底形成部材４０Ａは、第１上げ底形成部４１Ａの端部４１Ａａの左右方向における端部に、開口部分を有する略長円環状に形成された第一掛止部４３Ａがそれぞれ配設されている。第一掛止部４３Ａは、図６、９に示すように、上げ底形成部材４０Ａから後方に延びるように形成され、後壁部２３の横枠２３ｂに引っ掛け可能とされている。
【００４２】
第１上げ底形成部４１Ａの、図６、９における前後方向の中央部には、略逆Ｌ字状に形成された二つの第二掛止部４５Ａがそれぞれ配設されている。第二掛止部４５Ａは、図６、９に示すように、上げ底形成部材４０Ａから上方に延びるように形成され、図７に示す、上げ底形成部材４０Ａが第１の状態にあるときに、第一掛止部４３Ａが引っ掛けられる、後壁部２３の横枠２３ｂより上側に位置する後壁部２３の横枠２３ｂに、引っ掛け可能とされている。
【００４３】
第２上げ底形成部４２Ａは、第２上げ底形成部４２から係止バー４４を取り除いた構成とされている。
【００４４】
上げ底形成部材４０Ａは、上げ底形成部材４０と保持状態が異なる。本実施形態では、図７、８に示すように、第一掛止部４３Ａを後壁部２３の横枠２３ｂに引っ掛けるとともに、第二掛止部４５Ａを、第一掛止部４３Ａが引っ掛けられる、後壁部２３の横枠２３ｂより上側に位置する後壁部２３の横枠２３ｂに、引っ掛けて、第１の状態を保持する。第２の状態の保持は、図９に示すように、上げ底形成部材４０と同様となっている。
【００４５】
本実施形態では、第一掛止部４３Ａと、第二掛止部４５Ａと、後壁部２３の横枠２３ｂと、で上げ底形成部材４０Ａを第１の状態に保持する、保持手段１１Ａが構成される。
【００４６】
このような構成としても、金属で形成しても傷の発生を抑制して見映えが悪くならないとともに、上げ底形成部材４０Ａが動くことによって生じる、手に当たる、手を挟む等の危険を防止することができる。
【００４７】
本発明の第三の実施形態について説明する、陳列用容器１０と共通する構成については、同一符号を付してそれらの説明の全部又は一部を省略する。
【００４８】
陳列用容器１０Ｂでは、上げ底形成部材４０Ｂの第１上げ底形成部４１Ｂの端部４１Ｂａ側の左右方向における端部に、略Ｌ字状に形成された第一掛止部４３Ｂが配設されている。第一掛止部４３Ｂは、図１０における、左右方向の外側に延びるように形成されている。
【００４９】
第一掛止部４３Ｂは、左壁部２４の横枠２４ｂ（図１参照）、右壁部２５の横枠２５ｂに乗せて引っ掛け可能とされている。左壁部２４、右壁部２５の後側の外周枠とその近傍に位置する縦枠２４ａ（図１参照）、縦枠２５ａとの間に配置して、図１０、１１には図示していないが第二掛止部として、上げ底形成部材４０Ｂに係止バー４４、若しくは、第二掛止部４５Ａのような構成を設けて、上げ底形成部材４０Ｂを第１の状態とすることが可能となる。第２の状態の保持は、図１１に示すように、上げ底形成部材４０、上げ底形成部材４０Ａと同様となっている。
【００５０】
本実施形態では、第一掛止部４３Ｂと横枠２４ｂ、横枠２５ｂ、左壁部２４、右壁部２５の後側の外周枠とその近傍に位置する縦枠２４ａ（図１参照）、縦枠２５ａ、第二掛止部としての係止バー４４と右壁部２５の縦枠２５ａ、又は、第二掛止部としての第二掛止部４５Ａと後壁部２３の横枠２３ｂ、で上げ底形成部材４０Ｂを第１の状態に保持する、保持手段が構成される。
【００５１】
このような構成としても、金属で形成しても傷の発生を抑制して見映えが悪くならないとともに、上げ底形成部材４０Ｂが動くことによって生じる、手に当たる、手を挟む等の危険を防止することができる。
【００５２】
本発明の陳列用容器は上記実施形態に限定されるものではない。即ち、本発明の要旨を逸脱しない限り各種の設計変更等が可能である。
【００５３】
例えば、第１の状態を、第１上げ底形成部４１が左壁部２４、右壁部２５、のうちのいずれかの壁部の内側に重ねられるとともに、第２上げ底形成部４２が当該壁部の上端部側から延びる態様とすることもできる。
【００５４】
また、第２の状態を、第２上げ底形成部４２が底壁部２１上に立設されるとともに、第１上げ底形成部４１の第２上げ底形成部４２と連結された側とは反対側の端部４１ａが左壁部２４、右壁部２５のうちの一の壁部と連設された態様とすることもできる。
【００５５】
また、上げ底形成部材４０、上げ底形成部材４０Ａ、上げ底形成部材４０Ａを、第１の状態に保持できるのであれば、底壁部２１、前壁部２２、後壁部２３、左壁部２４、右壁部２５と、上げ底形成部材４０、上げ底形成部材４０Ａ、上げ底形成部材４０Ａとの係わり合いの態様は適宜変更することができる。
【００５６】
また、上記実施形態では、容器本体２０は、本体部材２６と、サイド部材２７と、を組み合わせて構成していたが、一体構成としたり、底壁部２１と、前壁部２２と、後壁部２３と、左壁部２４と、右壁部２５と、を全て別部材で構成したり、等適宜変更することができる。
【００５７】
また、容器本体２０、上げ底形成部材４０、上げ底形成部材４０Ａ、上げ底形成部材４０Ａは、金属製の棒状部材を屈折、溶接等して形成されていたが、金属製の板材で形成することも可能である。
【符号の説明】
【００５８】
１  陳列ユニット
１０  陳列用容器
１１  保持手段
１０Ａ  陳列用容器
１１Ａ  保持手段
１０Ｂ  陳列用容器
２０  容器本体
２１  底壁部
２２  前壁部
２３  後壁部
２４  左壁部
２５  右壁部
４０  上げ底形成部材
４１  第１上げ底形成部
４１ａ  端部
４２  第２上げ底形成部
４３  掛止部
４４  係止バー
４０Ａ  上げ底形成部材
４１Ａ  第１上げ底形成部
４１Ａａ  端部
４３Ａ  第一掛止部
４５Ａ  第二掛止部
４０Ｂ  上げ底形成部材
４１Ｂ  第１上げ底形成部
４１Ｂａ  端部
４３Ｂ  第一掛止部
【図１】
2020199143.tif 000003
【図２】
2020199143.tif 000004
【図３】
2020199143.tif 000005
【図４】
2020199143.tif 000006
【図５】
2020199143.tif 000007
【図６】
2020199143.tif 000008
【図７】
2020199143.tif 000009
【図８】
2020199143.tif 000010
【図９】
2020199143.tif 000011
【図１０】
2020199143.tif 000012
【図１１】
2020199143.tif 000013